(57)【要約】【課題】姿勢矯正と前屈動作のアシスト効果を両立し、装着感が良く装着者の日常動作に対する抵抗感の少ないアシストスーツを提供する。【解決手段】本願発明にかかるアシストスーツは、装着者の背中部に装着される背中部装着部を備えたアシストスーツであって、背中部装着部は、装着者の背中部に固定するための左右の肩ベルトおよび左右の腰部ベルトと、装着者の背中部から臀部に渡って背中部装着部に密着し、装着者の背中部に沿って湾曲し、曲げ方向に対する弾性を有する部材からなる背骨部材を備え、左右の肩ベルトは、それぞれの接続角度が独立に変更可能に背中部装着部に接続され、背骨部材は、左右の腰ベルトを摺動可能に保持し、互いに回転連動する左右の保持部材を備え、左右の保持部材のそれぞれは、左右の肩ベルトのそれぞれと接続された左右の腰ベルトのそれぞれを保持し、左右の腰ベルトは、装着者の前面において互いに接続される。【選択図】図１
2019118972.tif 000002
【特許請求の範囲】
【請求項１】
装着者の背中部に装着される背中部装着部を備えたアシストスーツであって、
前記背中部装着部は、前記装着者の背中部に固定するための左右の肩ベルトおよび左右の腰部ベルトと、
前記装着者の背中部から臀部に渡って前記背中部装着部に密着し、前記装着者の背中部に沿って湾曲し、曲げ方向に対する弾性を有する部材からなる背骨部材を備え、
前記左右の肩ベルトは、それぞれの接続角度が独立に変更可能に前記背中部装着部に接続され、
前記背骨部材は、前記左右の腰ベルトを摺動可能に保持し、互いに回転連動する左右の保持部材を備え、
前記左右の保持部材のそれぞれは、前記左右の肩ベルトのそれぞれと接続された前記左右の腰ベルトのそれぞれを保持し、
前記左右の腰ベルトは、前記装着者の前面において互いに接続される
ことを特徴とするアシストスーツ。
【請求項２】
前記装着者の左右の足部に装着される左右の足部装着部を、さらに備え、
前記左右の足部装着部のそれぞれは、
前記背中部装着部と連結するための連結部と、
前記装着者の膝部に固定するための固定部材と、
前記連結部と前記固定部材を連結するための伸縮性を有する部材からなる連結部材と  を備える
ことを特徴とする請求項１記載のアシストスーツ。
【請求項３】
前記装着者の左右の足部に装着される左右の足部装着部を、さらに備え、
前記左右の足部装着部のそれぞれは、
前記背中部装着部と連結するための連結部と、
前記装着者の膝部を取り囲む円筒形部材と、
前記円筒形部材の少なくとも２か所と接続され、前記装着者の足裏部を経由して折り返されるベルト部材と、
前記連結部と前記円筒形部材を連結するための連結部材と
を備える
ことを特徴とする請求項１記載のアシストスーツ。
【請求項４】
前記装着者の下半身に装着される下半身用衣類を、さらに備え、
前記下半身用衣類は、前記背中部装着部と連結するための連結部と、左右の足部装着部とを備え、
前記左右の足部装着部のそれぞれは、
前記連結部と前記左右の足部装着部のそれぞれを連結するための伸縮性を有する部材からなる連結部材と、
前記左右の足部装着部の少なくとも２か所と接続され、前記装着者の足裏部を経由して折り返されるベルト部材を備える
ことを特徴とする請求項１記載のアシストスーツ。
【請求項５】
前記装着者の腰部に装着される腰部装着部を、さらに備え、
前記腰部装着部は、
前記背中部装着部と連結するための連結部と連結され、
装着時に前記装着者の腰部を締め付けることにより、前記背中部装着部、および前記左右の足部装着部を前記装着者に固定する
ことを特徴とする請求項２乃至４のいずれか１項に記載のアシストスーツ。
【請求項６】
前記背骨部材は、前記装着者の背中部から腰部に渡って長手方向に延在し、長手方向における一部分が前記装着者の背骨に対応する軸を中心として左右に分離されている部分を備えること
を特徴とする請求項１乃至５のいずれか１項に記載のアシストスーツ。
【請求項７】
前記左右に分離されている部分の前記装着者の腰部における間隔は、前記左右に分離されている部分の他の部分と比較して相対的に間隔が広いこと
を特徴とする請求項６記載のアシストスーツ。
【請求項８】
前記背骨部材は、前記装着者の背骨に対応する軸の両側において長手方向に延在する少なくとも２本の隆起部を備えること
を特徴とする請求項６または７記載のアシストスーツ。
【請求項９】
前記背骨部材は、送風装置と、長手方向に延在する内部空洞を備え、
前記送風装置は、前記背骨部材の外部から吸入した空気を前記内部空洞に送出し、前記内部空洞の空気を前記背骨部材の外部に放出するように構成されること
ことを特徴とする請求項１乃至８のいずれか１項に記載のアシストスーツ。
【発明の詳細な説明】
【技術分野】
【０００１】
本願発明は、身体の姿勢を矯正するとともに、荷物を運搬あるいは上げ降ろしする際の前屈動作をアシストするアシストスーツに関する。
【背景技術】
【０００２】
従来から上半身の悪い姿勢を矯正するための装着具（例えば、特許文献１参照）や、荷物を運搬あるいは上げ降ろしする際の前屈動作をアシストする装着具（例えば、特許文献２−４参照）が提案されている。
【先行技術文献】
【特許文献】
【０００３】
【特許文献１】特開２００１−２１８７７９号公報
【特許文献２】特開２００２−１６１４１４号公報
【特許文献３】特開２０１１−１８８８９６号公報
【特許文献４】特開２０１３−１４４８５８号公報
【発明の概要】
【発明が解決しようとする課題】
【０００４】
例えば、特許文献１の装着具は、背当て部と肩ベルトと腰バンドを備えており、背当て部の下部を左右の肩ベルトを交叉させながら挿通した後に係合し、背当て部の下方の両側縁部に結合された腰バンドを互いに係合する上半身用の姿勢矯正装着具であり、背当て部のポケットには、姿勢矯正の効果を高めるための左右２枚の板状片が挿入されている。
【０００５】
また、特許文献２には、背中全面から大腿部の裏側まで達する背面パッドを備え、この背面パッドの上端は肩ベルトにより上半身に固定され、背面パッドの下端は左右に分離され、それぞれが左右の大腿部に固定されている上半身支持装置が開示されており、この背面パッドに内蔵された弾力性のある支柱の反発力により、前屈動作の際に上半身を持ち上げる力が働くように構成されている。さらに、特許文献３、４では、装着者の前屈動作をアシストするための身体の背面から大腿部にまで達する弾性部材を備えた補助用具が提案されている。
【０００６】
特許文献１の装着具は上半身のみに装着するため、装着感が良く装着者の日常動作に対する抵抗感は少ない。しかし、背当て部に挿入されている２枚の板状片は、装着者の背中から腰部にまで至る長さしか有しておらず、猫背等の悪い姿勢を矯正することはできても、装着者の前屈動作のアシス効果は期待できない。一方、特許文献２の上半身支持装置は前屈動作をアシストする機能を備えているが、背面パッドが背中全面から大腿部の裏側まで達するため、装着感が悪く、体をねじる動作や傾ける動作、椅子に座る動作等の装着者の日常の動作に対する抵抗感が大きいという問題がある。また、特許文献３、４の補助用具は、特許文献２の背面パッドに比べて装着感は良いが、弾性部材が身体の背面から大腿部にまで達するために、椅子に座る動作等の装着者の日常の動作に対する抵抗感を避けることはできない。
【０００７】
本願発明は、このような課題を解決するためになされたものであり、姿勢矯正と前屈動作のアシスト効果を両立し、装着感が良く装着者の日常動作に対する抵抗感の少ないアシストスーツを提供することを目的とする。
【課題を解決するための手段】
【０００８】
このような目的を達成するために、本願発明にかかるアシストスーツは、装着者の背中部に装着される背中部装着部を備えたアシストスーツであって、前記背中部装着部は、前記装着者の背中部に固定するための左右の肩ベルトおよび左右の腰部ベルトと、前記装着者の背中部から臀部に渡って前記背中部装着部に密着し、前記装着者の背中部に沿って湾曲し、曲げ方向に対する弾性を有する部材からなる背骨部材を備え、前記左右の肩ベルトは、それぞれの接続角度が独立に変更可能に前記背中部装着部に接続され、前記背骨部材は、前記左右の腰ベルトを摺動可能に保持し、互いに回転連動する左右の保持部材を備え、前記左右の保持部材のそれぞれは、前記左右の肩ベルトのそれぞれと接続された前記左右の腰ベルトのそれぞれを保持し、前記左右の腰ベルトは、前記前記装着者の前面において互いに接続される。
【０００９】
本願発明にかかるアシストスーツは、前記装着者の左右の足部に装着される左右の足部装着部を、さらに備え、前記左右の足部装着部のそれぞれは、前記背中部装着部と連結するための連結部と、前記装着者の膝部に固定するための固定部材と、前記連結部と前記固定部材を連結するための伸縮性を有する部材からなる連結部材とを備えてもよい。
【００１０】
本願発明にかかるアシストスーツは、前記装着者の左右の足部に装着される左右の足部装着部を、さらに備え、前記左右の足部装着部のそれぞれは、前記背中部装着部と連結するための連結部と、前記装着者の膝部を取り囲む円筒形部材と、前記円筒形部材の少なくとも２か所と接続され、前記装着者の足裏部を経由して折り返されるベルト部材と、前記連結部と前記円筒形部材を連結するための連結部材とを備えてもよい。
【００１１】
本願発明にかかるアシストスーツは、 前記装着者の下半身に装着される下半身用衣類を、さらに備え、前記下半身用衣類は、前記背中部装着部と連結するための連結部と、左右の足部装着部とを備え、前記左右の足部装着部のそれぞれは、前記連結部と前記左右の足部装着部のそれぞれを連結するための伸縮性を有する部材からなる連結部材と、前記左右の足部装着部の少なくとも２か所と接続され、前記装着者の足裏部を経由して折り返されるベルト部材を備えてもよい。
【００１２】
本願発明にかかるアシストスーツは、 前記装着者の腰部に装着される腰部装着部を、さらに備え、前記腰部装着部は、前記背中部装着部と連結するための連結部と連結され、装着時に前記装着者の腰部を締め付けることにより、前記背中部装着部、および前記左右の足部装着部を前記装着者に固定してもよい。
【００１３】
前記背骨部材は、前記装着者の背中部から腰部に渡って長手方向に延在し、長手方向における一部分が前記装着者の背骨に対応する軸を中心として左右に分離されている部分を備えてもよい。
【００１４】
前記左右に分離されている部分の前記装着者の腰部における間隔は、前記左右に分離されている部分の他の部分と比較して相対的に間隔が広くてもよい。
【００１５】
前記背骨部材は、前記装着者の背骨に対応する軸の両側において長手方向に延在する少なくとも２本の隆起部を備えてもよい。
【００１６】
前記背骨部材は、送風装置と、長手方向に延在する内部空洞を備え、前記送風装置は、前記背骨部材の外部から吸入した空気を前記内部空洞に送出し、前記内部空洞の空気を前記背骨部材の外部に放出するように構成されてもよい
【発明の効果】
【００１７】
本願発明によれば、姿勢矯正と前屈動作のアシスト効果を両立し、装着感が良く装着者の日常動作に対する抵抗感の少ないアシストスーツを提供することができる。
【図面の簡単な説明】
【００１８】
【図１】図１は、アシストスーツの背中部装着部の構成例（背面図）を示す図である。
【図２】図２は、アシストスーツの背中部装着部の他の構成例（背面図）を示す図である。
【図３】図３は、アシストスーツの足部装着部の構成例を示す図である。
【図４】図４は、アシストスーツの足部装着部の他の構成例を示す図である。
【図５】図５は、アシストスーツの足部装着部の他の構成例を示す図である。
【図６】図６は、アシストスーツの足部装着部の他の構成例を示す図である。
【図７】図７は、装着されたアシストスーツの構成例（背面図、側面図）を示す図である。
【図８】図８は、装着者が前屈動作を行った際のアシストスーツの動作例（側面図）を示す図である。
【図９】図９は、装着されたアシストスーツの他の構成例（背面図、側面図）を示す図である。
【図１０】図１０は、装着されたアシストスーツの他の構成例（背面図、側面図、正面図）を示す図である。
【図１１】図１１は、アシストスーツが備える背骨部材の構成例である。
【図１２】図１２は、左右に分離された部分を備えた背骨部材の構成例である。
【図１３】図１３は、左右に分離された部分を備えた背骨部材の他の構成例である。
【図１４】図１４は、隆起部を備えた背骨部材の構成例である。
【図１５】図１５は、左右に分離された部分と隆起部の両方を備えた背骨部材の構成例である。
【図１６】図１６は、送風装置を備えた背骨部材の構成例である。
【発明を実施するための形態】
【００１９】
次に、本願発明の実施形態について図面を参照して説明する。
【００２０】
＜アシストスーツの構成＞
まず、図１を参照して、本願発明の実施形態にかかるアシストスーツについて説明する。図１は、アシストスーツの背中部装着部の構成例（背面図）を示す図である。
【００２１】
図１のアシストスーツ１０は、装着者の背中部に装着される背中部装着部１１を備えており、背中部装着部１１は、装着者の背中部に固定するための肩部ベルト１２、腰部ベルト１３、および背骨部材２０を備えている。背中部装着部１１は、装着者に対する装着感を良くするため、ある程度の柔軟性と伸縮性を有する布地、繊維の編成体等から構成されることが望ましいが、それらに限定されない。布地と伸縮性を有する帯状の部材を組み合わせた構成でも構わない。
【００２２】
左右の肩部ベルト１２のそれぞれは、背中部装着部１１と接続部１５を介して接続され、接続部１５は、それぞれの接続角度が独立に変更可能な構成になっており、装着者の体形に合わせて肩部ベルト１２が装着者の肩部に密着するように構成することができる。この接続部１５は、布地を重ね合わせた構成や円形の係合部材を係合させた構造等、接続角度が独立に変更可能な構成であれば、他の構成を採用することもできる。なお、肩部ベルト１２は、ベルトとバックル、面ファスナー等の係合部材により長さ調節が可能な構成としてもよい。
【００２３】
左右の腰ベルト１３のそれぞれは、左右の肩部ベルト１２と接続され、背骨部材２０に備えられた保持部材１４によって保持され、装着者の前面に折り返されるように構成されており、装着者の前面において互いに接続することで、背中部装着部１１を装着者の背中部に密着させることができる。なお、腰部ベルト１３は、ベルトとバックル、面ファスナー等の係合部材により長さ調節が可能な構成としてもよい。
【００２４】
背骨部材２０に備えられた保持部材１４は、背骨部材２０上で左右の腰ベルト１３を摺動可能に保持し、互いに回転連動するように構成されている。摺動可能とすることで、装着者の体形に合わせて腰部ベルト１３を保持する位置を変更することが可能となり、左右の保持部材１４を回転連動させることで、腰部ベルト１３の位置の左右のバランスを所望の状態に保つことが可能となる。
【００２５】
ここで、保持部材１４を背骨部材２０上で摺動可能にする構成としては、背骨部材２０に設けたレール状の構造、溝状の構造、あるいは左右に分離した構造等に保持部材１４を係合させる構成等の既存の構成を用いることができる。また、保持部材１４を回転連動させる構成としては、ギア状の構造を有する保持部材１４をかみ合わせる構成や円形の保持部材１４を互いに密着させる構成等の既存の構成を用いることができる。
【００２６】
背骨部材２０は、装着者の背中部から臀部に渡る縦長の形状を備え、装着者の背中部に沿って湾曲しており、曲げ方向に対する弾性を有する部材から構成されている。左右の肩部ベルト１２と接続され、背骨部材２０に備えられた保持部材１４によって保持される腰部ベルト１３を、装着者の前面に折り返して装着者の前面において互いに接続することで、背骨部材２０を装着者の背中部に密着させることができる。この背骨部材２０は、背中部装着部１１に密着しており、背中部装着部１１と背骨部材２０は一体となって動作するように構成されているので、装着者の姿勢を矯正するとともに、装着者の前屈動作をアシストすることが可能となる。
【００２７】
図２は、アシストスーツの背中部装着部の他の構成例（背面図）を示す図である。図１では、左右の腰ベルト１３のそれぞれは、左右の肩部ベルト１２と接続され、背骨部材２０に備えられた保持部材１４によって保持され、装着者の前面に折り返されるように構成されていたが、図２のように、左右の腰ベルト１３を保持部材１４において折り返さずに、装着者の前面において互いに接続するように構成してもよい。このような構成にすることで、図１の場合と比較して、背中部装着部１１の装着者の背中部への密着度を高めることができる。
【００２８】
背骨部材２０に備えられた保持部材１４が、左右の腰ベルト１３を摺動可能に保持し、互いに回転連動するように構成されていることは図１と同様である。
【００２９】
＜アシストスーツの足部装着部の構成＞
図３は、アシストスーツの足部装着部の構成例を示す図である。図１の肩ベルト１２、腰ベルト１３、および背骨部材２０を備えた背中部装着部１１を備えるアシストスーツによって、装着者の姿勢を矯正するとともに、装着者の前屈動作をアシストすることが可能となるが、背中部装着部に加えて、さらに足部装着部を備えることで、装着者の前屈動作をアシストする効果をさらに高めることが可能となる。
【００３０】
図３のアシストスーツの足部装着部３０は、図１の背中部装着部１１と連結するための連結部と、装着者の膝部に固定するための固定部材３２を備え、連結部と固定部材３２を連結するための伸縮性を有する部材からなる連結部材３１を備える。
【００３１】
固定部材３２は、装着者の左右の大腿部に固定するための円筒状の部材からなり、周囲から締め付けることにより装着者の膝部に固定される。この固定部材３２は、面ファスナー等の係合手段を備えた帯状の部材を膝部の上下に固定することにより構成してもよい。
【００３２】
連結部材３１は、伸縮性を有する部材から構成されている。伸縮性を有する部材からなる連結部材３１が、装着者の膝部に固定された固定部材３２と連結されているので、装着者が前屈動作を行った場合には、連結部材３１が伸縮することで、足部装着部３０と連結された背中部装着部１１に対して、前屈動作を行った際の上半身の起き上がり動作をアシストする力を働かせることが可能となる。
【００３３】
この足部装着部３０は、背中部装着部１１に着脱可能に連結されていてもよい。着脱可能にすることにより、装着者が行う作業の内容に応じて、アシストスーツの構成を変更しアシスト効果の程度を調整することが可能となる。
【００３４】
また、図３の右図に示すように、足部装着部３０は、装着者の腰部に装着される腰部装着部４０を、さらに備えることもできる。腰部装着部４０は、足部装着部３０の背中部装着部１１と連結するための連結部と連結されており、装着時に装着者の腰部を締め付けることにより、背中部装着部１１、および左右の足部装着部３０を装着者に固定することができる。これにより、アシストスーツの装着者が、前屈動作を行った際のアシストスーツの上下方向のずれを防止することができるので、装着者の前屈動作をアシストする効果をさらに高めることが可能となる。
【００３５】
なお、この腰部装着部３０は、姿勢矯正機能を有するサポータとして用いることもできる。その場合、腰部装着部３０に縦方向のボーンを備えることも可能である。
＜他の足部装着部の構成＞
【００３６】
図４は、アシストスーツの足部装着部の他の構成例を示す図である。図４のアシストスーツの足部装着部５０は、図１の背中部装着部１１と連結するための連結部と、装着者の膝部を取り囲む円筒形部材５２、５３、円筒形部材５２、５３と接続され、装着者の足裏部を経由して折り返されるベルト部材５４を備え、連結部と円筒形部材５２、５３を連結するための連結部材５１を備える。
【００３７】
円筒形部材５２、５３は、装着者の膝部を取り囲むように構成されており、図３の固定部材３２と異なり、装着者の膝部に固定される必要はない。この円筒形部材５２、５３は、それらに接続されたベルト部材５４の方向を装着者の膝下部の方向に合わせるための部材である。
【００３８】
ベルト部材５４は、円筒形部材５２、５３の少なくとも２か所と接続され、装着時には装着者の足裏部を経由して折り返されるように構成されている。図３の構成では、固定部材３２を装着者の膝部に固定することで、背中部装着部１１に対して、前屈動作を行った際の上半身の起き上がり動作をアシストする力を働かせる構成としていたが、図４の構成では、その固定する役割を装着者の足裏部を経由して折り返されるように構成されたベルト部５４により行わせるものである。
【００３９】
連結部材５１は、背中部装着部１１との連結部と円筒形部材５２、５３を連結しているので、装着者が前屈動作を行った際には、連結部、円筒形部材５２、５３、およびベルト部５４が一体となり、足部装着部５０と連結された背中部装着部１１に対して、前屈動作を行った際の上半身の起き上がり動作をアシストする力を働かせることが可能となる。
【００４０】
図４の右図に示すように、足部装着部５０は、装着者の腰部に装着される腰部装着部４０を、さらに備えることもできる。図３の場合と同様に、腰部装着部４０により、装着時に装着者の腰部を締め付けることにより、アシストスーツの装着者が、前屈動作を行った際のアシストスーツの上下方向のずれを防止し、装着者の前屈動作をアシストする効果をさらに高めることが可能となる。
【００４１】
図５は、アシストスーツの足部装着部の他の構成例を示す図である。図５の構成例では、装着者の下半身に装着される、ズボン形状の下半身用衣類６０が足部装着部としての機能を有するように構成されている。図５の下半身用衣類６０は、背中部装着部１１と連結するための連結部と、左右の足部装着部とを備えている。図５の構成では、ズボンの左足部と右足部が、それぞれ左右の足部装着部に相当する。
【００４２】
左右の足部装着部のそれぞれは、連結部と左右の足部装着部のそれぞれを連結するための連結部材６２と、左右の足部装着部のそれぞれと接続され、装着者の足裏部を経由して折り返されるベルト部材６３を備える
【００４３】
ベルト部材６３は、左右の足部装着部のそれぞれの少なくとも２か所と接続され、装着時には装着者の足裏部を経由して折り返されるように構成されている。図４の構成では、円筒形部材５２、５３に接続されたベルト部材５４を装着者の足裏部を経由して折り返すように構成していたが、図５の構成では、左右の足部装着部に接続されたベルト部６３を装着者の足裏部を経由して折り返すように構成している。
【００４４】
左右の足部装着部は、左右の足部装着部に接続されたベルト部６３が装着者の足裏部を経由して折り返されるように構成されているので、装着者が前屈動作を行った場合には、連結部、左右の足部装着部、ベルト部６３が一体となり、下半身用衣類６０と連結された背中部装着部１１に対して、前屈動作を行った際の上半身の起き上がり動作をアシストする力を働かせることが可能となる。
【００４５】
図５の構成では、連結部材６２は伸縮性を有する部材から構成されている。伸縮性を有する部材からなる連結部材６２が、連結部と左右の足部装着部のそれぞれを連結しているので、装着者が前屈動作を行った場合には、連結部材６２が伸縮することで、下半身用衣類６０と連結された背中部装着部１１に対する、上半身の起き上がり動作をアシストする力をさらに高めることが可能となる。
【００４６】
図６に示すように、下半身用衣類６０は、装着者の腰部に装着される腰部装着部４０を、さらに備えることもできる。図３、４の場合と同様に、腰部装着部４０により、装着時に装着者の腰部を締め付けることにより、アシストスーツの装着者が、前屈動作を行った際のアシストスーツの上下方向のずれを防止し、前屈動作を行った際の上半身の起き上がり動作をアシストする効果をさらに高めることが可能となる。
【００４７】
＜アシストスーツの装着＞
図７は、装着されたアシストスーツの構成例（背面図、側面図）を示す図である。図７は、装着者１が、図１、図３で説明した背中部装着部１１、足部装着部３０を備えたアシストスーツ１０の装着した状態を示すものである。なお、図１のアシストスーツ１０を装着した状態は、足部装着部３０を備えていない状態であり、ここでは説明を省略する。
【００４８】
図７の側面図では、説明上の都合上、背骨部材２０が背中部装着部１１から分離した状態を図示しているが、本願発明における背骨部材２０は背中部装着部１１に密着しており、背中部装着部１１と背骨部材２０は一体となって動作するように構成されている。他の図においても同様である。
【００４９】
図７の背面図に示すように、アシストスーツ１０の背中部装着部１１は、肩部ベルト１２および腰部ベルト１３により装着者１の背中部に固定され、装着者１の足部に固定された足部装着部３０と連結されている。さらに、図７の側面図に示すように、背中部装着部１１に備えられた背骨部材２０は、装着者１の背中部に沿って湾曲しており、装着者１の背中部から臀部に渡って背中部装着部１１に密着している。
【００５０】
この背骨部材２０備えた背中部装着部１１を肩部ベルト１２および腰部ベルト１３を用いて装着者１の背中部に固定することにより、装着者１の猫背等の悪い姿勢を矯正することができるとともに、装着者の前屈動作をアシストすることが可能となり、さらに、背中部装着部１１と連結された足部装着部３０を備えることで、装着者１の前屈動作をアシストする効果を高めることが可能となる。
【００５１】
足部装着部３０は、背中部装着部１１と連結するための連結部と、装着者の膝部に固定するための固定部材３２と、連結部と固定部材３２を連結するための伸縮性を有する部材からなる連結部材３１を備える。固定部材３２は、装着者の左右の大腿部に固定するための円筒状の部材からなり、周囲から締め付けることにより装着者の膝部に固定される。
【００５２】
連結部材３１は、伸縮性を有する部材から構成されている。伸縮性を有する部材からなる連結部材３１が、装着者の膝部に固定された固定部材３２と連結されているので、装着者が前屈動作を行った場合には、連結部材３１が伸縮することで、足部装着部３０と連結された背中部装着部１１に対して、前屈動作を行った際の上半身の起き上がり動作をアシストする力を働かせることが可能となる。
【００５３】
＜アシストスーツの動作＞
図８は、装着者が前屈動作を行った際のアシストスーツの動作例（側面図）を示す図である。図８は、装着者が、図１、図３で説明した背中部装着部１１、足部装着部３０を備えたアシストスーツ１０の装着し、前屈動作を行った場合の動作を示すものである。
【００５４】
図８では、左右の肩部ベルト１２と接続され、背骨部材２０の保持部材１４によって保持される腰部ベルト１３を、装着者の前面に折り返して装着者の前面において互いに接続することで、背骨部材２０を装着者の背中部に密着させることができる。
【００５５】
図８に示すように、背骨部材２０が装着者１の背中部に密着している状態において、装着者１が前屈動作を行った場合、背骨部材２０は装着者の背中部と一体となって動作するので、背骨部材２０の曲げ方向に対する弾性力により、装着者の背中部を起こす方向に力が働き、装着者の上半身の起き上がり動作をアシストすることとなる。
【００５６】
さらに、図８では、足部装着部３０の連結部材３１は、装着者１の膝部に固定された固定部材３２と連結されているので、装着者１が前屈動作を行うと、連結部３１は固定部材３２を起点として伸ばされた状態となる。連結部３１が伸ばされた状態になると、固定部材３２を起点として連結部材３１が縮もうとする力が連結された背中部装着部１１に働くので、この固定部材３２を起点とする連結部３１の伸縮力により、背中部装着部１１の肩部ベルト１２に対して、前屈している装着者１の起き上がり動作をアシストする力が働くこととなる。
【００５７】
図８の動作例では、大腿部装着部１３は、装着者の左右の大腿部に固定するための伸縮性を有する円筒状の部材からなっており、装着者の膝部の上下を周囲から締め付ける構成となっている。このような構成にすることにより、装着者が前屈動作を行った際に、大腿部装着部１３が上方向にずれにくくなり、前屈動作のアシスト効果を高めることができる
【００５８】
このように、背骨部材２０を備えた背中部装着部１１と連結した、足部装着部１２により、背骨部材２０を備えた背中部装着部１１のみの場合と比較して、起き上がり動作のアシスト効果をさらに高めることができる。
【００５９】
ここで、左右の肩部ベルト１２を背中部装着部１１に接続する接続部１５は、それぞれの接続角度が独立に変更可能な構成になっており、装着者の体形に合わせて肩部ベルト１２が装着者の肩部に密着するように構成されている。
【００６０】
左右の腰ベルト１３を保持する保持部材１４は、左右の腰ベルト１３を摺動可能に保持し、互いに回転連動するように構成されている。摺動可能とすることで、装着者の体形に合わせて腰部ベルト１３の位置を変更することが可能となり、左右の保持部材１４を回転連動させることで、腰部ベルト１３の位置の左右のバランスを所望の状態に保つことが可能となる。
【００６１】
本実施の形態では、このような接続部１５、保持部材１４の構成を採用することで、装着者の体形に合わせて、アシストスーツを装着することができるので、装着感が良く装着者の日常動作に対する抵抗感の少ないアシストスーツを提供することができる。
【００６２】
以上述べたように、本願発明の実施形態にかかるアシストスーツでは、装着者の背中部から臀部に渡って密着している背骨部材により、装着者の姿勢矯正と前屈動作のアシスト効果の両方を達成することができる。さらに、足部装着部をさらに備えることにより、装着者の上半身の起き上がり動作をアシストする効果をさらに高めることが可能となる。さらに、上述したようなベルトの接続部、保持部の採用により、装着感が良く装着者の日常動作に対する抵抗感の少ないアシストスーツを提供することが可能となる。
【００６３】
＜他のアシストスーツの装着例＞
図９は、装着されたアシストスーツの他の構成例（背面図、側面図）を示す図である。図９の左図は、装着者１が、図１、図４で説明した背中部装着部１１、足部装着部５０を備えたアシストスーツ１０の装着した状態を示すものである。なお、図９における背中部装着部１１の動作は、図８と同じなので、説明を省略する。
【００６４】
図９の足部装着部３０は、背中部装着部１１と連結するための連結部と、装着者の膝部を取り囲む円筒形部材５２、５３、円筒形部材５２、５３と接続され、装着者の足裏部を経由して折り返されるベルト部材５４を備え、連結部と円筒形部材５２、５３を連結するための連結部材５１を備える。
【００６５】
ベルト部材５４は、円筒形部材５２、５３の少なくとも２か所と接続され、装着時には装着者の足裏部を経由して折り返されるように構成されている。図７の構成では、固定部材３２を装着者の膝部に固定することで、背中部装着部１１に対して、前屈動作を行った際の上半身の起き上がり動作をアシストする力を働かせる構成としていたが、図９の構成では、固定部材３２と同等の役割を装着者の足裏部を経由して折り返されるように構成されたベルト部５４により行わせるものである。
【００６６】
連結部材５１は、背中部装着部１１との連結部と円筒形部材５２、５３を連結しているので、装着者が前屈動作を行った場合には、連結部、円筒形部材５２、５３、およびベルト部５４が一体となり、ベルト部５４によって、前屈動作を行った際のアシストスーツの上下方向のずれを防止することができるので、足部装着部５０と連結された背中部装着部１１に対して、前屈動作を行った際の上半身の起き上がり動作をアシストする力を働かせることが可能となる。
【００６７】
図９の右図は、装着者が、図１、図５で説明した背中部装着部１１、足部装着部６０を備えたアシストスーツ１０の装着した状態を示すものである。図９では、装着者の下半身に装着される、ズボン形状の下半身用衣類が足部装着部としての機能を有するように構成されている。図９の下半身用衣類６０は、背中部装着部１１と連結するための連結部と、左右の足部装着部とを備えている。図９の構成では、ズボンの左足部と右足部が、それぞれ左右の足部装着部に相当する。
【００６８】
左右の足部装着部のそれぞれは、連結部と左右の足部装着部のそれぞれを連結するための連結部材６２と、左右の足部装着部のそれぞれと接続され、装着者の足裏部を経由して折り返されるベルト部材６３を備える。
【００６９】
ベルト部材６３は、左右の足部装着部のそれぞれの少なくとも２か所と接続され、装着時には装着者の足裏部を経由して折り返されるように構成されている。図９の左図の構成では、円筒形部材５２、５３に接続されたベルト部材５４を装着者の足裏部を経由して折り返されるように構成していたが、図９の右図の構成では、左右の足部装着部に接続されたベルト部６３が装着者の足裏部を経由して折り返されるように構成されている。
【００７０】
左右の足部装着部（ズボンの左右足部）は、左右の足部装着部に接続されたベルト部６３が装着者の足裏部を経由して折り返されるように構成されているので、装着者が前屈動作を行った際には、連結部、左右の足部装着部、ベルト部６３が一体となり、ベルト部６３によって、前屈動作を行った際のアシストスーツの上下方向のずれを防止することができるので、下半身用衣類６０と連結された背中部装着部１１に対して、前屈動作を行った際の上半身の起き上がり動作をアシストする力を働かせることが可能となる。
【００７１】
図９の構成では、連結部材６２は伸縮性を有する部材から構成されている。伸縮性を有する部材からなる連結部材６２が、連結部と左右の足部装着部のそれぞれを連結しているので、装着者が前屈動作を行った際には、連結部材６２が伸縮することで、下半身用衣類６０と連結された背中部装着部１１に対する、上半身の起き上がり動作をアシストする力をさらに高めることが可能となる。
【００７２】
図１０は、装着されたアシストスーツの他の構成例（背面図、側面図、正面図）を示す図である。図１０は、装着者が、図１、図３で説明した背中部装着部１１、足部装着部３０に加えて、腰部装着部４０を備えたアシストスーツ１０を装着した状態を示すものである。
【００７３】
図１０において、足部装着部３０は、装着者の腰部に装着される腰部装着部４０を、さらに備える。腰部装着部４０は、足部装着部３０の背中部装着部１１と連結するための連結部と連結されており、装着時に装着者の腰部を締め付けることにより、背中部装着部１１、および左右の足部装着部３０を装着者に固定することができる。これにより、アシストスーツの装着者が、前屈動作を行った際のアシストスーツの上下方向のずれを防止することができるので、装着者の前屈動作をアシストする効果をさらに高めることが可能となる。
【００７４】
＜アシストスーツの背骨部材の構成＞
図１１を用いて、アシストスーツ１０が備える背骨部材２０について説明する。図１１は、アシストスーツが備える背骨部材の構成例である。
【００７５】
本構成例における背骨部材２０は、装着者の背中部から臀部に渡る縦長の形状を有し、装着者の背中部に沿って湾曲しており、曲げ方向に対する弾性を有する部材から構成されている。背骨部材２０を構成する部材は、曲げ方向に対する弾性を有する金属材料や樹脂材料等の部材から構成することができるが、それらの材料に限定されない。
【００７６】
背骨部材２０は、その長手方向において幅の異なる板状の部材から構成されていてもよい。図１１の構成例では、背骨部材の長手方向中央部よりも上部における一部分、例えば、装着者の背中部の肩甲骨近傍における部分の幅が、他の部分と比較して相対的に幅が狭くなるように構成されている。このような構成により、背骨部材の弾性力を維持しながら、装着者の上半身のねじり動作をできるだけ阻害しないように背骨部材２０を構成することができる。
【００７７】
＜他の背骨部材の構成＞
図１１では、背骨部材２０は、その長手方向において幅の異なる板状の部材から構成され、背骨部材の長手方向中央部よりも上部における一部分、例えば、装着者１の背中部の肩甲骨近傍における幅が、他の部分と比較して相対的に幅が狭くなっている構成を例示したが、さらに、この背骨部材２０は、装着者の背中部から腰部に渡って長手方向に延在し、長手方向における一部分が装着者１の背骨に対応する軸を中心として左右に分離されている部分を備えてもよい。
【００７８】
図１２は、装着者の背中部から腰部に渡って長手方向に延在し、長手方向における一部分が左右に分離している部分７０を備えた背骨部材２０の構成例である。背骨部材２０が左右に分離していると、背骨部材２０がねじれやすくなるので、図１１の構成と比較して、装着者１の上半身のねじり動作を阻害しない背骨部材２０を提供することができる。また、背骨に対応する軸を中心として左右に分離しているので、背骨部材２０の弾性力が低下する懸念も少ない。
【００７９】
また、図１３に示すように、左右に分離している部分７０は、装着者１の背中部から腰部に渡って長手方向に延在し、装着者１の腰部における間隔を、他の部分と比較して相対的に間隔が広くなるように構成してもよい。このような構成によれば、装着者１の腰部において、背骨部材２０が装着者１の背骨に接触するのを防ぐことができ、より装着感の良いアシストスーツを提供することができる。
【００８０】
また、図１４に示すように、背骨部材２０は、装着者１の背骨に対応する軸の両側において長手方向に延在する隆起部８０を備えていてもよい。このような隆起部８０を備えることにより、背骨部材２０の幅を小さくしつつその弾性力を高めることができる。この隆起部８０は、少なくとも左右に１つ必要であるが、左右それぞれに複数の隆起部８０を備えるように構成してもよい。
【００８１】
また、図１５に示すように、背骨部材２０は、左右に分離している部分７０と長手方向に延在する隆起部８０の両方を備えていてもよい。このような構成により、装着感が良く、前屈動作に対するアシスト効果の高いアシストスーツを提供することができる。
【００８２】
さらに、送風装置８０を備えることにより、背骨部材２０が冷却機能を備えるように構成してもよい。図１６は、送風装置を備えた背骨部材の構成例である。図１６の構成例における背骨部材２０は、その長手方向に延在するハニカム構造の内部空洞を備え、この内部空洞に空気を送出し、内部空洞の空気を背骨部材の外部に放出するように構成された送風装置を備える。
【００８３】
このような構成により、送風装置により内部空洞に送出された空気が、背骨部材２０の端部に設けられた開口部から放出されることにより、背骨部材自体を冷却することができ、さらに、背骨部材が冷却されることにより、アシストスーツを装着する装着者を冷却することができる。
【００８４】
また、図１６の構成例では、空気を放出する内部空洞の開口部を背骨部材の端部に設けたが、開口部を背骨部材の側面や装着者の背中部側に設けて空気を放出するように構成してもよい。内部空洞の構造や形状も、空気が通過する構成であればよく、図１６に示したハニカム構造に限定されない。
【００８５】
さらに、背骨部材が放出した空気を図５の下半身装着部６０内に放出するように構成してもよいし、腰部装着部４０の内部に空気の通路を設けて、背骨部材が放出した空気をその通路に供給することで、腰部装着部４０を冷却するように構成してもよい。
【符号の説明】
【００８６】
１…装着者、１０…アシストスーツ、１１…背中部装着部、１２…肩部ベルト、１３…腰部ベルト、１４…保持部材（腰部ベルト）、１５…接続部（肩部ベルト）、２０…背骨部材、３０…足部装着部、３１…連結部材、３２…固定部材、４０…腰部装着部、５０…足部装着部、５１…連結部材、５２、５３…円筒形部材、５４…ベルト部材、６０…下半身用衣類、６１…足部装着部、６２…連結部材、６３…ベルト部材、７０…背骨部材の分離している部分、８０…隆起部、９０…送風装置、１００…内部空洞（ハニカム構造）。
【図１】
2019118972.tif 000003
【図２】
2019118972.tif 000004
【図３】
2019118972.tif 000005
【図４】
2019118972.tif 000006
【図５】
2019118972.tif 000007
【図６】
2019118972.tif 000008
【図７】
2019118972.tif 000009
【図８】
2019118972.tif 000010
【図９】
2019118972.tif 000011
【図１０】
2019118972.tif 000012
【図１１】
2019118972.tif 000013
【図１２】
2019118972.tif 000014
【図１３】
2019118972.tif 000015
【図１４】
2019118972.tif 000016
【図１５】
2019118972.tif 000017
【図１６】
2019118972.tif 000018
【手続補正書】
【提出日】平成30年10月11日(2018.10.11)
【手続補正１】
【補正対象書類名】特許請求の範囲
【補正対象項目名】請求項１
【補正方法】変更
【補正の内容】
【請求項１】
装着者の背中部に装着される背中部装着部を備えたアシストスーツであって、
前記背中部装着部は、前記装着者の背中部に固定するための左右の肩ベルトおよび左右の腰部ベルトと、
前記装着者の背中部から臀部に渡って前記背中部装着部に密着し、前記装着者の背中部に沿って湾曲し、曲げ方向に対する弾性を有する部材からなる背骨部材を備え、
前記左右の肩ベルトは、それぞれの接続角度が独立に変更可能に前記背中部装着部に接続され、
前記背骨部材は、前記左右の腰ベルトを前記背骨部材上の長手方向において摺動可能に保持し、互いに回転連動する左右の保持部材を備え、
前記左右の保持部材のそれぞれは、前記左右の肩ベルトのそれぞれと接続された前記左右の腰ベルトのそれぞれを保持し、
前記左右の腰ベルトは、前記装着者の前面において互いに接続される
ことを特徴とするアシストスーツ。
【手続補正書】
【提出日】平成30年10月18日(2018.10.18)
【手続補正１】
【補正対象書類名】特許請求の範囲
【補正対象項目名】請求項１
【補正方法】変更
【補正の内容】
【請求項１】
装着者の背中部に装着される背中部装着部を備えたアシストスーツであって、
前記背中部装着部は、前記装着者の背中部に固定するための左右の肩ベルトおよび左右の腰部ベルトと、
前記装着者の背中部から臀部に渡って前記背中部装着部に密着し、前記装着者の背中部に沿って湾曲し、曲げ方向に対する弾性を有する部材からなる背骨部材を備え、
前記左右の肩ベルトは、それぞれの接続角度が独立に変更可能に前記背中部装着部に接続され、
前記背骨部材は、前記左右の腰ベルトを保持し、互いに回転連動する左右の保持部材を備え、
前記左右の保持部材は、前記背骨部材上を摺動可能に構成され、
前記左右の保持部材のそれぞれは、前記左右の肩ベルトのそれぞれと接続された前記左右の腰ベルトのそれぞれを保持し、
前記左右の腰ベルトは、前記装着者の前面において互いに接続される
ことを特徴とするアシストスーツ。